(57)【特許請求の範囲】
【請求項１】
一対の基板の間に液晶材料を封入した液晶表示パネルと、前記液晶表示パネルの表示制御を行う制御回路基板とを有し、
前記一対の基板のうちの一方の基板は、絶縁基板の表面上に、複数本の走査信号線と、複数本の映像信号線と、複数個のＴＦＴ素子と、前記ＴＦＴ素子のソースに接続している複数個の画素電極とが配置されており、かつ、
２本の隣接する映像信号線の間に、前記映像信号線の延在方向に沿って配置されている複数個の画素電極は、ＴＦＴ素子を介して前記２本の隣接する映像信号線のうちの一方の映像信号線に接続している画素電極と、ＴＦＴ素子を介して前記２本の隣接する映像信号線のうちの他方の映像信号線に接続している画素電極とが交互に並んでいる液晶表示装置であって、
前記制御回路基板は、当該表示装置の外部から入力された各画素電極に書き込む入力階調データについて、
前記複数個の画素電極のうちの１つの画素電極に書き込む入力階調データと、
前記１つの画素電極がＴＦＴ素子を介して接続している映像信号線における、前記１つの画素電極の前段の画素電極に書き込む入力階調データとを比較し、
前記２つの入力階調データの階調差に基づいて、前記１つの画素電極に書き込む入力階調データを補正する階調補正手段を有し、
前記階調補正手段は、前記１つの画素電極に書き込む入力階調データの階調数をＫｎ、前記前段の画素電極に書き込む入力階調データの階調数をＫｎ−１とし、
前記１つの画素電極の周辺における温度の関数で表される補正係数βとしたときに、
前記１つの画素電極に書き込む階調データの階調数を、下記式１Ａで表されるＫｎ'に補正し、
Ｋｎ'＝ｉｎｔ｛（Ｋｎ−１−Ｋｎ）×β｝＋Ｋｎ      ・・・（式１Ａ）
前記補正係数βは、あらかじめ定められた特定温度を境にし、前記１つの画素電極の周辺における温度が前記特定温度よりも高い場合には、前記特定温度との温度差によらず一定の値であり、
前記１つの画素電極の周辺における温度が前記特定温度よりも低い場合には、負の値であり、かつ、当該特定温度との温度差が大きいほど、前記補正係数βの絶対値が大きいことを特徴とする液晶表示装置。
【請求項２】
一対の基板の間に液晶材料を封入した液晶表示パネルと、前記液晶表示パネルの表示制御を行う制御回路基板とを有し、
前記一対の基板のうちの一方の基板は、絶縁基板の表面上に、複数本の走査信号線と、複数本の映像信号線と、複数個のＴＦＴ素子と、前記ＴＦＴ素子のソースに接続している複数個の画素電極とが配置されており、かつ、
２本の隣接する映像信号線の間に、前記映像信号線の延在方向に沿って配置されている複数個の画素電極は、ＴＦＴ素子を介して前記２本の隣接する映像信号線のうちの一方の映像信号線に接続している画素電極と、ＴＦＴ素子を介して前記２本の隣接する映像信号線のうちの他方の映像信号線に接続している画素電極とが交互に並んでいる液晶表示装置であって、
前記制御回路基板は、当該表示装置の外部から入力された各画素電極に書き込む入力階調データについて、
前記複数個の画素電極のうちの１つの画素電極に書き込む入力階調データと、
前記１つの画素電極がＴＦＴ素子を介して接続している映像信号線における、前記１つの画素電極の前段の画素電極に書き込む入力階調データとを比較し、
前記２つの入力階調データの階調差に基づいて、前記１つの画素電極に書き込む入力階調データを補正する階調補正手段を有し、
前記階調補正手段は、前記１つの画素電極に書き込む入力階調データの階調数をＫｎ、前記前段の画素電極に書き込む入力階調データの階調数をＫｎ−１とし、
前記１つの画素電極に接続しているＴＦＴ素子が接続している映像信号線と、当該ＴＦＴ素子が接続している走査信号線の信号入力端との距離の関数で表される補正係数γ１としたときに、
前記１つの画素電極に書き込む階調データの階調数を、下記式１Ｂで表されるＫｎ'に補正し、
Ｋｎ'＝ｉｎｔ｛（Ｋｎ−１−Ｋｎ）×γ１｝＋Ｋｎ      ・・・（式１Ｂ）
前記補正係数γ１は、あらかじめ定められた特定距離を境にし、前記１つの画素電極に接続しているＴＦＴ素子が接続している映像信号線と、当該ＴＦＴ素子が接続している走査信号線の信号入力端との距離が前記特定距離よりも短い場合には、前記特定距離との差によらず一定の値であり、
前記１つの画素電極に接続しているＴＦＴ素子が接続している映像信号線と、当該ＴＦＴ素子が接続している走査信号線の信号入力端との距離が前記特定距離よりも長い場合には、負の値であり、かつ、当該特定距離との差が大きいほど、前記補正係数γ１の絶対値が大きいことを特徴とする液晶表示装置。
【請求項３】
前記特定距離は、前記走査信号線の信号入力端に最も近い位置に配置された映像信号線と、当該走査信号線の信号入力端との距離よりも短いことを特徴とする請求項２に記載の液晶表示装置。
【請求項４】
一対の基板の間に液晶材料を封入した液晶表示パネルと、前記液晶表示パネルの表示制御を行う制御回路基板とを有し、
前記一対の基板のうちの一方の基板は、絶縁基板の表面上に、複数本の走査信号線と、複数本の映像信号線と、複数個のＴＦＴ素子と、前記ＴＦＴ素子のソースに接続している複数個の画素電極とが配置されており、かつ、
２本の隣接する映像信号線の間に、前記映像信号線の延在方向に沿って配置されている複数個の画素電極は、ＴＦＴ素子を介して前記２本の隣接する映像信号線のうちの一方の映像信号線に接続している画素電極と、ＴＦＴ素子を介して前記２本の隣接する映像信号線のうちの他方の映像信号線に接続している画素電極とが交互に並んでいる液晶表示装置であって、
前記制御回路基板は、当該表示装置の外部から入力された各画素電極に書き込む入力階調データについて、
前記複数個の画素電極のうちの１つの画素電極に書き込む入力階調データと、
前記１つの画素電極がＴＦＴ素子を介して接続している映像信号線における、前記１つの画素電極の前段の画素電極に書き込む入力階調データとを比較し、
前記２つの入力階調データの階調差に基づいて、前記１つの画素電極に書き込む入力階調データを補正する階調補正手段を有し、
前記階調補正手段は、前記１つの画素電極に書き込む入力階調データの階調数をＫｎ、前記前段の画素電極に書き込む入力階調データの階調数をＫｎ−１とし、
前記１つの画素電極に接続しているＴＦＴ素子が接続している走査信号線と、当該ＴＦＴ素子が接続している映像信号線の信号入力端との距離の関数で表される補正係数γ２としたときに、
前記１つの画素電極に書き込む階調データの階調数を、下記式１Ｃで表されるＫｎ'に補正し、
Ｋｎ'＝ｉｎｔ｛（Ｋｎ−１−Ｋｎ）×γ２｝＋Ｋｎ      ・・・（式１Ｃ）
前記補正係数γ２は、あらかじめ定められた特定距離を境にし、前記１つの画素電極に接続しているＴＦＴ素子が接続している走査信号線と、当該ＴＦＴ素子が接続している映像信号線の信号入力端との距離が前記特定距離よりも短い場合には、前記特定距離との差によらず一定の値であり、
前記１つの画素電極に接続しているＴＦＴ素子が接続している走査信号線と、当該ＴＦＴ素子が接続している映像信号線の信号入力端との距離が前記特定距離よりも長い場合には、負の値であり、かつ、当該特定距離との差が大きいほど、前記補正係数γ２の絶対値が大きいことを特徴とする液晶表示装置。
【請求項５】
前記特定距離は、前記映像信号線の信号入力端に最も近い位置に配置された走査信号線と、当該映像信号線の信号入力端との距離よりも短いことを特徴とする請求項４に記載の液晶表示装置。
【発明の詳細な説明】
【技術分野】
【０００１】
本発明は、液晶表示装置に関し、特に、アクティブマトリクス型ＴＦＴ液晶表示装置に適用して有効な技術に関するものである。
【背景技術】
【０００２】
従来、テレビやパーソナルコンピュータのモニタなどに用いられる表示装置として、アクティブマトリクス型ＴＦＴ液晶表示装置（以下、単にＴＦＴ液晶表示装置という。）がある。
【０００３】
前記ＴＦＴ液晶表示装置は、２枚の基板の間に液晶を封入した液晶表示パネルを有する表示装置である。このとき、前記２枚の基板のうちの一方の基板は、一般に、ＴＦＴ基板と呼ばれており、たとえば、ガラス基板などの絶縁基板の表面に、複数本の走査信号線および複数本の映像信号線、複数個のＴＦＴ素子（アクティブ素子）および複数個の画素電極などが形成されている。また、前記２枚の基板のうちの他方の基板は、一般に、対向基板と呼ばれており、たとえば、ガラス基板などの絶縁基板の表面に、前記表示領域を画素毎の領域に分割する遮光膜やカラーフィルタなどが形成されている。なお、前記画素電極と対になって前記液晶を駆動させる対向電極は、前記ＴＦＴ基板側に形成されていることもあるし、前記対向基板側に形成されていることもある。
【０００４】
前記液晶表示パネルは、映像や画像を表示する表示領域が多数個の画素の集合で設定されており、各画素は、ＴＦＴ素子およびＴＦＴ素子のソースに接続している画素電極を有する。このとき、各ＴＦＴ素子は、ドレインが映像信号線に接続しており、ゲートが走査信号線に接続している。なお、本明細書では、前記ＴＦＴ素子のソースとドレインについて、画素電極に接続しているほうをソースと呼び、映像信号線に接続しているほうをドレインと呼ぶが、この逆、すなわち、画素電極に接続しているほうをドレインと呼び、映像信号線に接続しているほうをソースと呼ぶこともある。また、実際の液晶表示パネルでは、映像信号線に加えられた映像信号の電位と、対向電極の電位との関係により、ＴＦＴ素子のソースとドレインの関係が逐次入れ替わる。
【０００５】
従来の前記液晶表示パネルにおいて、２本の隣接する映像信号線の間に、映像信号線の延在方向に沿って配置された複数個の画素電極は、たとえば、各画素電極に接続しているＴＦＴ素子を介して、前記２本の隣接する映像信号線のうちのいずれか一方の映像信号線に接続している。このとき、従来の一般的な液晶表示パネルでは、前記各画素電極に接続している各ＴＦＴ素子のドレインは、すべて、前記２本の映像信号線のうちの同じ映像信号線に接続している。
【０００６】
また、近年の液晶表示パネルには、たとえば、２本の隣接する映像信号線の間に、前記２本の隣接する映像信号線のうちの一方の映像信号線にドレインが接続しているＴＦＴ素子と、他方の映像信号線にドレインが接続しているＴＦＴ素子とを、前記映像信号線の延在方向に沿って交互に配置した液晶表示パネルがある（たとえば、特許文献１を参照。）。このような液晶表示パネルにおいて、２本の隣接する映像信号線の間に、映像信号線の延在方向に沿って配置された複数個の画素電極は、たとえば、ＴＦＴ素子を介して前記２本の隣接する映像信号線のうちの一方の映像信号線に接続している画素電極と、他方の映像信号線に接続している画素電極とが、映像信号線の延在方向に沿って交互に並んでいる。
【０００７】
また、特許文献１の液晶表示パネルは、たとえば、走査信号線の延在方向に並んでいる複数個の画素電極の列ごとに見た場合、各画素電極が当該画素電極の右側に配置されている映像信号線に接続している列と、各画素電極が当該画素電極の左側に配置されている映像信号線に接続している列とが、交互に並んでいる。すなわち、１本の映像信号線には、当該映像信号線の右側にある画素電極と、左側にある画素電極とが、交互に接続している。そのため、特許文献１の液晶表示パネルにおける画素の配置は、たとえば、千鳥配置などと呼ばれることがある。
【０００８】
また、従来のＴＦＴ液晶表示装置のうちの、前記特許文献１に記載されたような構成（千鳥配置）の液晶表示装置は、各映像信号線に映像信号を加えるときに、たとえば、２本の隣接する映像信号線に加わる映像信号の極性の関係が、反対の関係になるように加える。すなわち、２本の隣接する映像信号線のうちの、一方の映像信号線に加える映像信号の電位が対向電極の電位よりも高い場合、他方の映像信号線に加える映像信号線の電位は、対向電極の電位よりも低い。また、１本の映像信号線に加わる映像信号の極性は、たとえば、１フレーム期間毎に入れ替わり、あるフレーム期間に加わる映像信号の電位が対向電極の電位よりも高い場合、次のフレーム期間に加わる映像信号線の電位は、対向電極の電位よりも低い。
【０００９】
すなわち、前記特許文献１の液晶表示装置は、列毎反転駆動と呼ばれる駆動方法に対応した映像信号を加えることで、ドット反転駆動と呼ばれる駆動方法で液晶表示パネルを駆動させることができる。そのため、映像信号（階調電圧）を生成するドライバＩＣの発熱量を低減でき、熱による動作不良や故障を低減できるという利点がある。
【特許文献１】特開平１０−９０７１２号公報
【発明の開示】
【発明が解決しようとする課題】
【００１０】
ところで、液晶テレビなどのＴＦＴ液晶表示装置では、近年、画面のちらつきを抑えたり、動画の表示性能を向上させたりするための高リフレッシュレート化が進んでいる。
【００１１】
しかしながら、従来のＴＦＴ液晶表示装置では、高リフレッシュレート化が進むにつれて、たとえば、前記ＴＦＴ素子（アクティブ素子）を介して、前記映像信号線に加えられた映像信号（階調電圧）を前記画素電極に書き込む際に、書き込み不足が生じ、画質が劣化するという問題があった。
【００１２】
また、従来のＴＦＴ液晶表示装置のうちの、前記特許文献１の液晶表示装置は、上記のようにドライバＩＣの発熱量を低減できるという利点がある一方で、たとえば、横筋と呼ばれる現象が発生しやすく、当該横筋により画質が劣化するという問題があった。
【００１３】
本発明の目的は、たとえば、液晶表示装置のドライバＩＣの発熱量を低減するとともに、画質の劣化を低減することが可能な技術を提供することにある。
【００１４】
本発明の前記ならびにその他の目的と新規な特徴は、本明細書の記述および添付図面によって明らかになるであろう。
【課題を解決するための手段】
【００１５】
本願において開示される発明のうち、代表的なものの概略を説明すれば、以下の通りである。
【００１６】
（１）一対の基板の間に液晶材料を封入した液晶表示パネルと、前記液晶表示パネルの表示制御を行う制御回路基板とを有し、前記一対の基板のうちの一方の基板は、絶縁基板の表面上に、複数本の走査信号線と、複数本の映像信号線と、複数個のＴＦＴ素子と、前記ＴＦＴ素子のソースに接続している複数個の画素電極とが配置されており、かつ、２本の隣接する映像信号線の間に、前記映像信号線の延在方向に沿って配置されている複数個の画素電極は、ＴＦＴ素子を介して前記２本の隣接する映像信号線のうちの一方の映像信号線に接続している画素電極と、ＴＦＴ素子を介して前記２本の隣接する映像信号線のうちの他方の映像信号線に接続している画素電極とが交互に並んでいる液晶表示装置であって、前記制御回路基板は、当該表示装置の外部から入力された各画素電極に書き込む入力階調データについて、前記複数個の画素電極のうちの１つの画素電極に書き込む入力階調データと、前記１つの画素電極がＴＦＴ素子を介して接続している映像信号線における、前記１つの画素電極の前段の画素電極に書き込む入力階調データとを比較し、前記２つの入力階調データの階調差に基づいて、前記１つの画素電極に書き込む入力階調データを補正する階調補正手段を有する液晶表示装置。
【００１７】
（２）前記（１）の液晶表示装置において、前記階調補正手段は、前記１つの画素電極に書き込む入力階調データの階調数をＫｎ、前記前段の画素電極に書き込む入力階調データの階調数をＫｎ−１とし、補正係数をＣとしたときに、前記１つの画素電極に書き込む階調データの階調数を、下記式１で表されるＫｎ'に補正する液晶表示装置。
Ｋｎ'＝ｉｎｔ｛（Ｋｎ−１−Ｋｎ）×Ｃ｝＋Ｋｎ      ・・・（式１）
【００１８】
（３）前記（２）の液晶表示装置において、前記補正係数Ｃは、前記２つの入力階調データの階調数の差Ｋｎ−１−Ｋｎの関数で表される第１の補正係数α、前記１つの画素電極の周辺における温度の関数で表される第２の補正係数β、前記１つの画素電極に接続しているＴＦＴ素子が接続している映像信号線と、当該ＴＦＴ素子が接続している走査信号線の信号入力端との距離の関数で表される第３の補正係数γ１、前記１つの画素電極に接続しているＴＦＴ素子が接続している走査信号線と、当該ＴＦＴ素子が接続している映像信号線の信号入力端との距離の関数で表される第４の補正係数γ２のうちのいずれか１つ、または２つ以上の積で表される液晶表示装置。
【００１９】
（４）前記（３）の液晶表示装置において、前記第１の補正係数αは、前記２つの入力階調データの階調数の差Ｋｎ−１−Ｋｎが負の値の場合には正の値であり、前記２つの入力階調データの階調数の差Ｋｎ−１−Ｋｎが正の値の場合には負の値であり、かつ、前記２つの入力階調データの階調数の差Ｋｎ−１−Ｋｎの絶対値が大きいほど、前記補正係数αの絶対値が大きい液晶表示装置。
【００２０】
（５）前記（３）の液晶表示装置において、前記第２の補正係数βは、あらかじめ定められた特定温度を境にし、前記１つの画素電極の周辺における温度が前記特定温度よりも高い場合には、前記特定温度との温度差に寄らず一定の値であり、前記１つの画素電極の周辺における温度が前記特定温度よりも低い場合には、負の値であり、かつ、当該特定温度との温度差が大きいほど、前記補正係数βの絶対値が大きい液晶表示装置。
【００２１】
（６）前記（３）の液晶表示装置において、前記第３の補正係数γ１は、あらかじめ定められた特定距離を境にし、前記１つの画素電極に接続しているＴＦＴ素子が接続している映像信号線と、当該ＴＦＴ素子が接続している走査信号線の信号入力端との距離が前記特定距離よりも短い場合には、前記特定距離との差によらず一定の値であり、前記１つの画素電極に接続しているＴＦＴ素子が接続している映像信号線と、当該ＴＦＴ素子が接続している走査信号線の信号入力端との距離が前記特定距離よりも長い場合には、負の値であり、かつ、当該特定距離との差が大きいほど、前記第３の補正係数γ１の絶対値が大きい液晶表示装置。
【００２２】
（７）前記（６）の液晶表示装置において、前記特定距離は、前記走査信号線の信号入力端に最も近い位置に配置された映像信号線と、当該走査信号線の信号入力端との距離よりも短い液晶表示装置。
【００２３】
（８）前記（３）の液晶表示装置において、前記第４の補正係数γ２は、あらかじめ定められた特定距離を境にし、前記１つの画素電極に接続しているＴＦＴ素子が接続している走査信号線と、当該ＴＦＴ素子が接続している映像信号線の信号入力端との距離が前記特定距離よりも短い場合には、前記特定距離との差によらず一定の値であり、前記１つの画素電極に接続しているＴＦＴ素子が接続している走査信号線と、当該ＴＦＴ素子が接続している映像信号線の信号入力端との距離が前記特定距離よりも長い場合には、負の値であり、かつ、当該特定距離との差が大きいほど、前記第４の補正係数γ２の絶対値が大きい液晶表示装置。
【００２４】
（９）前記（８）の液晶表示装置において、前記特定距離は、前記映像信号線の信号入力端に最も近い位置に配置された走査信号線と、当該映像信号線の信号入力端との距離よりも短い液晶表示装置。
【発明の効果】
【００２５】
本発明の液晶表示装置によれば、ドライバＩＣの発熱量を低減できるとともに、横筋と呼ばれる現象の発生による画質の劣化を低減できる。
【発明を実施するための最良の形態】
【００２６】
以下、本発明について、図面を参照して実施の形態（実施例）とともに詳細に説明する。
なお、実施例を説明するための全図において、同一機能を有するものは、同一符号を付け、その繰り返しの説明は省略する。
【００２７】
図１（ａ）乃至図１（ｅ）は、本発明に関わるＴＦＴ液晶表示装置の一構成例を説明するための模式図である。
図１（ａ）は、本発明に関わるＴＦＴ液晶表示装置の概略構成の一例を示す模式ブロック図である。図１（ｂ）は、図１（ａ）に示した液晶表示パネルにおける表示領域の概略構成の一例を示す模式回路図である。図１（ｃ）は、ＴＦＴ液晶表示装置に入力される入力階調データの一構成例を示す模式図である。図１（ｄ）は、入力階調データを並べ替えた出力階調データの一構成例を示す模式図である。図１（ｅ）は、図１（ａ）に示した液晶表示パネルの駆動方法の一例を示す模式図である。
【００２８】
本発明に関わるＴＦＴ液晶表示装置は、たとえば、図１（ａ）に示すように、複数本の走査信号線ＧＬおよび複数本の映像信号線ＤＬを有する液晶表示パネル１と、データドライバ２と、ゲートドライバ３と、制御回路基板４とを有する。
【００２９】
また、図１（ａ）では省略しているが、ＴＦＴ液晶表示装置は、液晶表示パネル１、データドライバ２、ゲートドライバ３、および制御回路基板４のほかにも、いくつかの回路部品などを有することはもちろんであり、たとえば、ＴＦＴ液晶表示装置が透過型または半透過型である場合は、バックライトユニットと呼ばれる光源を有する。
【００３０】
液晶表示パネル１は、ＴＦＴ基板と対向基板との間に液晶材料を封入した表示パネルである。液晶表示パネル１の表示領域ＤＡは、複数個のマトリクス状に配置された画素の集合として設定されており、１つの画素は、たとえば、２本の隣接する走査信号線ＧＬと２本の隣接する映像信号線ＤＬとで囲まれる領域の大きさに相当する。このとき、各画素は、たとえば、図１（ｂ）に示すように、アクティブ素子（スイッチング素子と呼ぶこともある）であるＴＦＴ素子Ｔｒと、ＴＦＴ素子Ｔｒのソースに接続している画素電極ＰＸとを有する。
【００３１】
また、各ＴＦＴ素子Ｔｒのドレインは、当該ＴＦＴ素子Ｔｒのソースに接続している画素電極を挟んで隣接する２本の映像信号線ＤＬのうちのいずれか一方の映像信号線ＤＬに接続しており、各ＴＦＴ素子のゲートは、当該ＴＦＴ素子Ｔｒのソースに接続している画素電極ＰＸを挟んで隣接する２本の走査信号線ＧＬのうちのいずれか一方の走査信号線ＧＬに接続している。すなわち、２本の隣接する映像信号線ＤＬの間に配置された画素電極ＰＸは、ＴＦＴ素子Ｔｒを介して前記２本の隣接する映像信号線ＤＬのうちのいずれか一方の映像信号線に接続している。
【００３２】
またこのとき、画素電極ＰＸは、ＴＦＴ基板と対向基板との間に封入された液晶材料ＬＣ、およびＴＦＴ基板または対向基板に設けられた対向電極ＣＴとともに画素容量（液晶容量と呼ぶこともある）を形成している。
【００３３】
また、本発明に関わるＴＦＴ液晶表示装置の液晶表示パネル１において、２本の隣接する映像信号線ＤＬの間に、映像信号線ＤＬの延在方向に沿って配置された複数個の画素電極は、ＴＦＴ素子Ｔｒを介して前記２本の隣接する映像信号線ＤＬのうちの一方の映像信号線ＤＬに接続している画素電極ＰＸと、ＴＦＴ素子を介して他方の映像信号線ＤＬに接続している画素電極ＰＸとが、映像信号線ＤＬの延在方向に沿って交互に並んでいる。
【００３４】
また、液晶表示パネル１は、たとえば、走査信号線ＧＬの延在方向に並んでいる複数個の画素電極ＰＸの列ごとに見た場合、各画素電極ＰＸが当該画素電極ＰＸの左側に配置されている映像信号線ＤＬに接続している列と、各画素電極ＰＸが当該画素電極ＰＸの右側に配置されている映像信号線ＤＬに接続している列とが、交互に並んでいる。すなわち、１本の映像信号線ＤＬには、当該映像信号線ＤＬの右側にある画素電極ＰＸと、左側にある画素電極ＰＸとが、交互に接続している。そのため、図１（ｂ）に示したような画素の配置は、たとえば、千鳥配置などと呼ばれることがある。
【００３５】
また、従来の一般的なＴＦＴ液晶表示装置において、映像信号線ＤＬの延在方向に並んだ複数個の画素電極ＰＸが共通の１本の映像信号線ＤＬに接続している場合、表示領域ＤＡの横方向の画素数がＭ画素（Ｍは任意の自然数）であると、実際に映像信号が加わる映像信号線ＤＬはＭ本である。なお、カラー表示に対応したＴＦＴ液晶表示装置の場合、映像または画像の１ドット（または１ピクセル）は、複数個のサブ画素で構成されており、たとえば、ＲＧＢ方式のカラーＴＦＴ液晶表示装置の場合、走査信号線ＧＬの延在方向に並んだ３つのサブ画素によって映像または画像の１ドットが構成される。そのため、ＲＧＢ方式のカラーＴＦＴ液晶表示装置において表示領域ＤＡの横方向がＭドットの場合、実際に映像信号が加わる映像信号線ＤＬは３Ｍ本である。
【００３６】
これに対し、本発明に関わるＴＦＴ液晶表示装置では、表示領域ＤＡの横方向の画素数がＭ画素の場合、実際に映像信号が加わる映像信号線ＤＬはＭ＋１本である。また、ＲＧＢ方式のカラーＴＦＴ液晶表示装置において、表示領域ＤＡの横方向がＭドットの場合、実際に映像信号が加わる映像信号線ＤＬは３Ｍ＋１本である。
【００３７】
本発明に関わるＴＦＴ液晶表示装置において映像や画像を表示するときには、まず、当該ＴＦＴ液晶表示装置の外部から入力される入力階調データ群Ｋｉｎ、制御信号ＣＳ、および電源電圧Ｖなどの入力信号を、制御回路基板４で受信する。制御回路基板４は、たとえば、入力階調データＫｉｎを出力階調データＫｏｕｔに変換し、出力階調データＫｏｕｔ、データドライバ制御信号ＣＳ１、電源電圧Ｖ１などをデータドライバ２に送信し、ゲートドライバ制御信号ＣＳ２、電源電圧Ｖ２などをゲートドライバ３に送信する。
【００３８】
入力階調データＫｉｎは、たとえば、図１（ｃ）に示すような構成になっている。なお、図１（ｃ）において、ＨＬｎ（ｎ＝１，２，３，４，５）は、走査信号線ＧＬの延在方向に並んだ画素の画素電極に対する階調データの列を表しており、ＢＬｍ（ｍ＝１，２，３，４，５）は、各画素電極に対する階調データＫｎ，ｍのブロックを表している。各画素の表示階調が２５６階調の場合、１つの階調データＫｎ，ｍのブロックは８ビットになる。
【００３９】
従来の一般的なＴＦＴ液晶表示装置の場合、各列ＨＬｎのブロックＢＬｍの階調データＫｎ，ｍは、共通の１本の映像信号線ＤＬｍに入力されるので、表示領域ＤＡの横方向の画素数がＭ画素（Ｍは任意の自然数）の場合、１つの列ＨＬｎの階調データは、Ｍブロックで構成される。また、ＲＧＢ方式のカラーＴＦＴ液晶表示装置において、表示領域ＤＡの横方向がＭドットの場合、１つの列ＨＬｎの階調データは、３Ｍブロックで構成される。
【００４０】
一方、本発明に関わるＴＦＴ液晶表示装置の場合、１本の映像信号線ＤＬｍには、たとえば、ｎが奇数の列ＨＬｎのブロックＢＬｍの階調データＫｎ，ｍと、ｎが偶数の列ＨＬｎのブロックＢＬｍ＋１の階調データＫｎ，ｍ＋１とを交互に入力する必要がある。そのため、本発明に関わるＴＦＴ液晶表示装置では、制御回路基板４において、入力階調データＫｉｎを、たとえば、図１（ｄ）に示すような構成の出力階調データＫｏｕｔに変換する。なお、図１（ｄ）における各階調データＫｎ，ｍは、図１（ｃ）における階調データＫｎ，ｍと一致させている。
【００４１】
このとき、出力階調データＫｏｕｔにおける１つの列ＨＬｎの階調データは、Ｍ＋１ブロック（ＲＧＢ方式のカラーＴＦＴ液晶表示装置の場合は３Ｍ＋１ブロック）で構成される。
【００４２】
なお、図１（ｄ）における列ＨＬ２、列ＨＬ４などのｎが偶数の列ＨＬｎの先頭のブロックＢＬ１の階調データＫＤは、ダミーの階調データであり、たとえば、０階調の階調データまたは１つ前の列ＨＬｎ−１のブロックＢＬ１と同じ階調データにする。また、図示は省略するが、列ＨＬ１、列ＨＬ３、列ＨＬ５などのｎが奇数の列ＨＬｎの最後のブロックＢＬＭ＋１（またはＢＬ３Ｍ＋１）も、ダミーの階調データにする。
【００４３】
制御回路基板４において作成（変換）された出力階調データＫｏｕｔは、データドライバ２に送信される。制御回路基板４とデータドライバ２とは、たとえば、フレキシブルプリント配線板や別の回路基板を介して接続されており、出力階調データＫｏｕｔは、前記フレキシブルプリント配線板や前記別の回路基板を経由してデータドライバ２に入力される。
【００４４】
データドライバ２は、図１（ｄ）に示したような構成の出力階調データＫｏｕｔの各階調データＫｎ，ｍに基づき、各画素電極ＰＸに書き込む映像信号（階調電圧信号）を生成する。そして、生成した映像信号を、ゲートドライバ３から各走査信号線ＧＬに入力される走査信号と同期させて、各映像信号線ＤＬに加える。
【００４５】
このとき、データドライバ２から各映像信号線ＤＬに加える映像信号は、たとえば、図１（ｅ）に示すように、１フレーム期間における２本の隣接する映像信号線に加わる映像信号の極性が、一方は常に正極性（＋）になり、他方は常に負極性（−）になるようにする。なお、前記映像信号の極性は、映像信号線ＤＬからＴＦＴ素子Ｔｒを介して画素電極ＰＸに書き込まれた映像信号の電位と、対向電極ＣＴの電位との関係を表しており、画素電極ＰＸの電位が対向電極ＣＴの電位よりも高くなる場合を正極性といい、画素電極ＰＸの電位が対向電極ＣＴの電位よりも低くなる場合を負極性という。
【００４６】
またこのとき、２本の映像信号線ＤＬ（たとえば、ＤＬｍ−１とＤＬｍ）の間に並んでいる画素電極ＰＸについてみると、正極性（＋）の画素電極ＰＸと負極性（−）の画素電極ＰＸが交互に並んでいる。また、２つの走査信号線ＧＬ（たとえば、ＧＬｎとＧＬｎ＋１）の間に並んでいる画素電極ＰＸについてみたときも、正極性（＋）の画素電極ＰＸと負極性（−）の画素電極ＰＸが交互に並んでいる。
【００４７】
また、あるフレーム期間における各映像信号線ＤＬに加わる映像信号の極性が、図１（ｅ）に示したような関係にあるとき、次のフレーム期間における各映像信号線ＤＬに加わる映像信号の極性は、正極性（＋）と負極性（−）が入れ替わる。そして、さらに次のフレーム期間における各映像信号線ＤＬに加わる映像信号の極性は、図１（ｅ）に示したような関係になる。
【００４８】
すなわち、本発明に関わるＴＦＴ液晶表示装置は、データドライバ２において列毎反転と呼ばれる駆動方式に対応した映像信号を生成して各映像信号線ＤＬに加えることで、液晶表示パネル１をドット反転と呼ばれる駆動方式で駆動させることができる。そのため、データドライバ２における処理の負荷が軽減し、データドライバ２の発熱量を低減できる。
【００４９】
しかしながら、本発明に関わるＴＦＴ液晶表示装置における従来の駆動方法では、高リフレッシュレート（たとえば、１２０Ｈｚ）で駆動させると、横筋と呼ばれる現象が発生しやすくなる。なお、前記横筋と呼ばれる現象は、たとえば、偶数番目の水平ライン（画素の列）と奇数番目の水平ラインとで輝度や色度が、映像信号で指定された輝度や色度とは異なってみえる現象である。
【００５０】
本発明に関わるＴＦＴ液晶表示装置において前記横筋が発生する原因は、種々考えられるが、特に、２つの画素電極の階調電圧の差、各画素の温度、および各画素の映像信号線または走査信号線の信号入力端からの距離が、横筋の発生に大きく関わっていることを、本願発明者らは見いだした。そこで、以下に、横筋が発生する主な要因毎に、傾向と横筋を低減する方法について説明する。
【実施例１】
【００５１】
図２（ａ）および図２（ｂ）は、本発明に関わるＴＦＴ液晶表示装置において横筋が発生する原因のうちの１つめの原因を説明するための模式図である。
図２（ａ）は、本発明に関わるＴＦＴ液晶表示装置における各画素の階調の一例を示す模式回路図である。図２（ｂ）は、図２（ａ）に示した２つの画素電極ＰＸ１，ＰＸ２に書き込まれる階調電圧の一例を示す模式波形図である。
【００５２】
本発明に係わるＴＦＴ液晶表示装置が、一般的なＲＧＢ方式のカラーＴＦＴ液晶表示装置の場合、図１（ｅ）に示した、２本の隣接する映像信号線ＤＬ（たとえば、ＤＬｍ−１とＤＬｍ）と２本の隣接する走査信号線ＧＬ（たとえば、ＧＬｎとＧＬｎ＋１）とで囲まれた領域に相当する１つの画素はサブ画素であり、走査信号線ＧＬの延在方向に並んだ３つのサブ画素により、映像または画像の１ドットが構成される。
【００５３】
また、一般的なＲＧＢ方式のカラーＴＦＴ液晶表示装置の場合、図１（ｅ）に示した、２本の隣接する映像信号線ＤＬ（たとえば、ＤＬｍ−１とＤＬｍ）の間にある画素電極ＰＸを有するサブ画素は、すべて同じ色であり、Ｒ（赤）、Ｇ（緑）、およびＢ（青）のいずれかである。また、２本の隣接する走査信号線ＧＬ（たとえば、ＧＬｎとＧＬｎ＋１）の間にある画素電極ＰＸを有するサブ画素は、たとえば、赤のサブ画素、緑のサブ画素、および青のサブ画素が、この順番で繰り返し並んでいる。
【００５４】
このようなＲＧＢ方式のカラーＴＦＴ液晶表示装置において、横筋が発生する原因のうちの１つめの原因を説明するにあたり、各サブ画素の色と画素電極ＰＸに書き込む階調電圧の階調数の関係が、図２（ａ）に示したような関係になっている場合を例に挙げる。なお、図２（ａ）において、Ｒｕは赤のサブ画素の列、Ｇｕ−１，Ｇｕは緑のサブ画素の列、Ｂｕ−１，Ｂｕは青のサブ画素の列であり、各画素電極ＰＸに示した数値が、入力階調データＫｉｎにおける各画素の表示階調である。すなわち、図２（ａ）に示した例では、各ドットが１００階調の赤と、１００階調の緑と、２５０階調の青とを足し合わせて得られる色で表示されている。
【００５５】
このとき、図２（ａ）において、２本の隣接する走査信号線ＧＬｎ−１，ＧＬｎの間にある画素電極ＰＸには、それぞれ、図１（ｄ）に示した出力階調データＫｏｕｔのうちの、列ＨＬｎの階調データＫｎ，ｍが書き込まれる。同様に、図２（ａ）において、２本の隣接する走査信号線ＧＬｎ，ＧＬｎ＋１の間にある画素電極ＰＸには、それぞれ、図１（ｄ）に示した出力階調データＫｏｕｔのうちの、列ＨＬｎ＋１の階調データＫｎ＋１，ｍが書き込まれる。また、２本の隣接する走査信号線ＧＬｎ＋１，ＧＬｎ＋２の間にある画素電極ＰＸには、それぞれ、図１（ｄ）に示した出力階調データＫｏｕｔのうちの、列ＨＬｎ＋２の階調データＫｎ＋２，ｍが書き込まれる。
【００５６】
ＲＧＢ方式のカラーＴＦＴ液晶表示装置において、図２（ａ）に示したような表示をする場合、たとえば、２つの隣接するサブ画素の列Ｂｕ−１，Ｒｕの間を通る映像信号線ＤＬｍには、たとえば、図２（ｂ）の上側に示したように、列Ｂｕ−１にある画素電極ＰＸに書き込むための青色における２５０階調に相当する電圧Ｖ２５０の映像信号と、列Ｒｕにある画素電極ＰＸに書き込むための赤色における１００階調に相当する電圧Ｖ１００の映像信号とが交互に入れ替わる映像信号ＤＡＴＡｍが加わっている。なお、図２（ｂ）の上側に示した波形図のＤＡＴＡｍにおいて、Ｓｎ，Ｓｎ＋１，Ｓｎ＋２の３つの区間は、それぞれ、図２（ａ）に示した出力階調データの列ＨＬｎ，ＨＬｎ＋１，ＨＬｎ＋２における該当ブロックの階調データに基づく映像信号が加えられている区間である。
【００５７】
このとき、図２（ａ）に示した画素電極ＰＸ１に着目すると、赤色における１００階調に相当する電圧Ｖ１００の映像信号が書き込まれるときの走査信号Ｖｇの波形、共通電圧Ｖｃｏｍの波形、および画素電極ＰＸ１の電圧Ｖｐｘの波形と、映像信号線ＤＬｍに加わっている映像信号ＤＡＴＡｍの波形との関係は、たとえば、図２（ｂ）の上側に示したような関係になっている。すなわち、画素電極ＰＸ１の電圧Ｖｐｘは、走査信号線ＧＬｎ＋１の走査信号Ｖｇがオンになった直後、たとえば、映像信号線ＤＬｍにおける画素電極ＰＸ１の前段の画素電極ＰＸ３に書き込む映像信号の電圧Ｖ２５０の影響により急激に上昇し、その状態から本来の電圧Ｖ１００の映像信号が書き込まれる。その結果、走査信号Ｖｇの立ち下がりが始まる時点での、映像信号ＤＡＴＡｍにおける画素電極ＰＸ１に対する階調電圧と、実際に画素電極ＰＸ１に書き込まれた電圧との電位差ΔＶ１は小さくなる。
【００５８】
一方、２つの隣接するサブ画素の列Ｒｕ，Ｇｕの間を通る映像信号線ＤＬｍ＋１には、たとえば、図２（ｂ）の下側に示したように、列Ｒｕにある画素電極ＰＸに書き込むための赤色における１００階調に相当する電圧Ｖ１００の映像信号と、列Ｇｕにある画素電極ＰＸに書き込むための緑色における１００階調に相当する電圧Ｖ１００の映像信号とが交互に入れ替わる映像信号ＤＡＴＡｍ＋１が加わっている。なお、図２（ｂ）の下側に示した波形図のＤＡＴＡｍ＋１において、Ｓｎ＋１，Ｓｎ＋２，Ｓｎ＋３の３つの区間は、それぞれ、図２（ａ）に示した出力階調データの列ＨＬｎ＋１，ＨＬｎ＋２、および図示していない列ＨＬｎ＋３における該当ブロックの階調データに基づく映像信号が加えられている区間である。
【００５９】
このとき、図２（ａ）に示した画素電極ＰＸ２に着目すると、赤色における１００階調に相当する電圧Ｖ１００の映像信号が書き込まれるときの走査信号Ｖｇの波形、共通電圧Ｖｃｏｍの波形、および画素電極ＰＸ２の電圧Ｖｐｘの波形と、映像信号線ＤＬｍ＋１に加わっている映像信号ＤＡＴＡｍ＋１の波形との関係は、たとえば、図２（ｂ）の下側に示したような関係になっている。すなわち、画素電極ＰＸ２の電圧Ｖｐｘは、走査信号線ＧＬｎ＋２の走査信号Ｖｇがオンになった直後、たとえば、映像信号線ＤＬｍ＋１における画素電極ＰＸ２の前段の画素電極ＰＸ４に書き込む映像信号の電圧Ｖ１００の影響によりゆるやかに上昇し、その状態から本来の電圧Ｖ１００の映像信号が書き込まれる。その結果、走査信号Ｖｇの立ち下がりが始まる時点での、映像信号ＤＡＴＡｍ＋１における画素電極ＰＸ２に対する階調電圧と、実際に画素電極ＰＸ２に書き込まれた電圧との電位差ΔＶ２は、映像信号ＤＡＴＡｍにおける画素電極ＰＸ１に対する階調電圧と、実際に画素電極ＰＸ１に書き込まれた電圧との電位差ΔＶ１よりも大きくなる。
【００６０】
２つの画素電極ＰＸ１，ＰＸ２は、同じサブ画素の列Ｒｕにある画素電極であるため、本来なら赤色における１００階調に相当する電圧Ｖ１００が書き込まれなければならない。しかしながら、実際には、図２（ｂ）に示したように、映像信号線ＤＬｍに加わっている映像信号ＤＡＴＡｍにおける階調電圧Ｖ１００と画素電極ＰＸ１に実際に書き込まれた電圧との電位差ΔＶ１と、映像信号線ＤＬｍ＋１に加わっている映像信号ＤＡＴＡｍ＋１における階調電圧Ｖ１００と画素電極ＰＸ２に実際に書き込まれた電圧との電位差ΔＶ２との大きさが異なる。すなわち、ＴＦＴ素子を介して映像信号線ＤＬｍに接続している画素電極ＰＸ１と、ＴＦＴ素子を介して映像信号線ＤＬｍ＋１に接続している画素電極ＰＸ２とでは、書き込み不足の不足量が異なる。
【００６１】
そのため、従来のＴＦＴ液晶表示装置では、画素電極ＰＸ１を有する画素の階調（輝度）と、画素電極ＰＸ２を有する画素の階調（輝度）が異なる値になり、横筋と呼ばれる現象が発生し、画質が劣化するという問題が発生していた。
【００６２】
なお、図２（ａ）に示した各画素電極の階調数は、横筋と呼ばれる現象が目立ちやすい組み合わせの一例であり、他の階調数の組み合わせであっても、横筋と呼ばれる現象は発生する。また、図２（ａ）では、同じ色の表示を担う複数のサブ画素の列にある画素電極、たとえば、サブ画素の列Ｂｕ−１にある画素電極とサブ画素の列Ｂｕにある画素電極が、すべて同じ階調数である場合を例に挙げているが、各列における画素電極の階調数が任意の組み合わせであっても、横筋と呼ばれる現象は発生する。またさらに、図２（ａ）では、同じサブ画素の列にある複数個の画素電極、たとえば、サブ画素の列Ｒｕにある画素電極が、すべて同じ階調数である場合を例に挙げているが、各画素電極の階調数が任意の組み合わせであっても、横筋と呼ばれる現象は発生する。
【００６３】
このような原因による横筋の発生を防ぐには、たとえば、画素電極ＰＸ１に書き込む映像信号の階調を低くして、画素電極ＰＸ１の書き込み不足量を、画素電極ＰＸ２の書き込み不足量ΔＶに近づければよい。
【００６４】
図３（ａ）および図３（ｂ）は、本発明による実施例１のＴＦＴ液晶表示装置の駆動方法の原理を説明するための模式図である。
図３（ａ）は、実施例１の液晶表示装置の駆動方法の一例を示す模式回路図である。図３（ｂ）は、図３（ａ）に示した２つの画素電極ＰＸ１，ＰＸ２に書き込まれる階調電圧の一例を示す模式波形図である。
【００６５】
本発明に関わるＴＦＴ液晶表示装置において横筋と呼ばれる現象が発生する原因のうちの１つめの原因は、たとえば、図２（ａ）および図２（ｂ）に示した例のように、画素電極ＰＸ１に書き込まれた階調電圧の書き込み不足量ΔＶ１と、画素電極ＰＸ２に書き込まれた階調電圧の書き込み不足量ΔＶ２との差が大きくなるということである。
【００６６】
すなわち、図２（ａ）に示したような表示をするときに、画素電極ＰＸ１に書き込まれた階調電圧の書き込み不足量ΔＶ１と、画素電極ＰＸ２に書き込まれた階調電圧の書き込み不足量ΔＶ２との差が小さくなれば、横筋の発生を低減する（目立たなくする）ことができると考えられる。画素電極ＰＸ１に書き込まれた階調電圧の書き込み不足量ΔＶ１と、画素電極ＰＸ２に書き込まれた階調電圧の書き込み不足量ΔＶ２との差を小さくするためには、たとえば、映像信号線ＤＬｍにおいて、画素電極ＰＸ１の前段の画素電極ＰＸ３に対する映像信号と、画素電極ＰＸ１に対する映像信号との階調差に基づいて、画素電極ＰＸ１に書き込む映像信号の階調を補正すればよい。
【００６７】
実施例１の液晶表示装置の駆動方法では、図２（ａ）に示したような表示をするときに、出力階調データＫｏｕｔにおける画素電極ＰＸ１に対する階調データを、たとえば、図３（ａ）に示すように、１００階調から９８階調に補正し、その補正された出力階調データＫｏｕｔに基づいて生成された映像信号を画素電極ＰＸ１に書き込む。こうすると、画素電極ＰＸ１に、赤色における９８階調に相当する電圧Ｖ９８の映像信号が書き込まれるときの走査信号Ｖｇの波形、共通電圧Ｖｃｏｍの波形、および画素電極ＰＸ１の電圧Ｖｐｘの波形と、映像信号線ＤＬｍに加わっている映像信号ＤＡＴＡｍの波形との関係は、たとえば、図３（ｂ）の上側に示したような関係になる。
【００６８】
このとき、画素電極ＰＸ１に書き込まれた電圧Ｖｐｘと映像信号ＤＡＴＡｍにおける階調電圧との電位差ΔＶ１（すなわち書き込み不足量）は、９８階調に相当する電圧Ｖ９８の映像信号を書き込ませたときの電位差である。そのため、図３（ｂ）に点線で示した１００階調に相当する電圧Ｖ１００のとき映像信号と、９８階調の映像信号で画素電極ＰＸ１に書き込まれた電圧Ｖｐｘとの電位差ΔＶ１’は、図２（ｂ）に示した電位差ΔＶ１よりも大きくなる。
【００６９】
またこのとき、画素電極ＰＸ２に書き込む映像信号の階調を補正せずに１００階調のままにしておくと、たとえば、画素電極ＰＸ２に書き込まれる階調電圧Ｖｐｘの波形は、図３（ｂ）の下側に示した波形、すなわち図２（ｂ）の下側に示した波形と同じ波形であり、映像信号ＤＡＴＡｍ＋１における階調電圧Ｖ１００と画素電極ＰＸ２に書き込まれた電圧Ｖｐｘとの電位差は、図２（ｂ）に示した電位差Δ２と同じである。
【００７０】
したがって、実施例１のＴＦＴ液晶表示装置の駆動方法では、走査信号Ｖｇの立ち下がりが始まる時点での映像信号ＤＡＴＡｍの階調電圧と実際に画素電極ＰＸ１に書き込まれた電圧との電位差ΔＶ１'と、走査信号Ｖｇの立ち下がりが始まる時点での映像信号ＤＡＴＡｍ＋１の階調電圧と実際に画素電極ＰＸ２に書き込まれた電圧との電位差ΔＶ２との差（ΔＶ２−ΔＶ１'）が、ΔＶ２−ΔＶ１よりも小さくなる。そのため、画素電極ＰＸ１を有する画素の階調（輝度）と、画素電極ＰＸ２を有する画素の階調（輝度）との差が小さくなり、横筋と呼ばれる現象の発生による画質が劣化を回避できる。
【００７１】
図４（ａ）乃至図４（ｃ）は、実施例１のＴＦＴ液晶表示装置における階調データの補正方法の一具体例を説明するための模式図である。
図４（ａ）は、比較する２つの階調データの階調差と横筋のレベルとの関係の一例を示す模式グラフ図である。図４（ｂ）は、比較する２つの階調データの階調差と補正係数との関係、および比較する２つの階調データの階調差と補正後の横筋のレベルとの関係の一例を示す模式グラフ図である。図４（ｃ）は、一般的なＴＦＴ液晶表示装置における液晶への印加電位と階調との関係の一例を示す模式グラフ図である。
【００７２】
従来のＴＦＴ液晶表示装置において、ある１つの画素電極に書き込む映像信号の階調数Ｋｎと、前記ある１つの画素電極と同じ映像信号線であり、かつ、前記ある１つの画素電極の前段の画素電極に書き込む映像信号の階調数Ｋｎ−１との階調差ΔＫ（＝Ｋｎ−１−Ｋｎ）と、階調差ΔＫのときにおける前記ある１つの画素電極を有する画素における横筋レベルＳＬＶとの関係は、たとえば、図４（ａ）に実線で示したプロファイルＰ１のようになる。なお、図４（ａ）に示したグラフ図には、階調差ΔＫが−２５５から２５５までのプロファイルＰ１を示している。
【００７３】
このように、従来のＴＦＴ液晶表示装置では、階調差ΔＫが負の値のときには、前記ある１つの画素電極に書き込まれた映像信号の階調が、入力階調データにおける階調よりも低くなり、階調差ΔＫが正の値のときには、前記ある１つの画素電極に書き込まれた映像信号の階調が、入力階調データにおける階調よりも高くなる。
【００７４】
また、図４（ａ）に示したプロファイルＰ１は、階調数ΔＫが−１８０から−１２０付近の横筋レベルＳＬＶが著しく低くなり、階調数ΔＫが１２０から１８０付近の横筋レベルＳＬＶが著しく高くなっている。これは、この領域（中間調）において、画素の階調（輝度）の変化が、電位差の変化に対して敏感になるためである。中間調において、電位変化に対する輝度変化が敏感になる理由を、図４（ｃ）に示した、液晶への印加電位Ｖと階調Ｋの関係の一例を示すグラフを用いて簡単に説明する。図４（ｃ）に示したグラフによると、６４階調（Ｋ＝６４）から１９２階調（Ｋ＝１９２）あたりの中間調の範囲では、低階調側（Ｋ＜６３）や高階調側（Ｋ＞１９３）よりも、印加電位Ｖの変化に対して階調Ｋの変化が大きい（すなわち、グラフの傾きが大きい）ことが分かる。このことから、中間調では、電位Ｖの変化に対する輝度変化が敏感であるといえる。
【００７５】
このことから、階調数Ｋｎが中間調であり、かつ、階調差ΔＫの絶対値が大きい場合は、たとえば、図４（ｂ）に示したように、横筋レベルＳＬＶの絶対値が大きくなると考えられる。
【００７６】
なお、図４（ｃ）に示したような階調Ｋ−印加電位Ｖの関係は、液晶材料の電気光学的な特性に依存する。依存する液晶材料の特性としては、たとえば、弾性定数や誘電率異方性、あるいはプレチルト角などがある。
【００７７】
２つの画素電極に書き込まれた映像信号の階調差ΔＫと横筋レベルＳＬＶに、図４（ａ）のような関係がある場合、この横筋レベルＳＬＶを低減するには、たとえば、図４（ｂ）に示すような関数ｆ（ΔＫ）で与えられる補正係数αを用いた下記式２により、前記ある１つの画素電極に対する階調データＫｎを、階調データＫｎ’に補正すればよい。
Ｋｎ’＝ｉｎｔ｛（Ｋｎ−１−Ｋｎ）×α｝＋Ｋｎ      ・・・（式２）
【００７８】
上記式２において、ｉｎｔ｛（Ｋｎ−１−Ｋｎ）×α｝は、（Ｋｎ−１−Ｋｎ）×αの整数部分のみをとるという意味である。
【００７９】
関数ｆ（ΔＫ）は、図４（ｂ）に示すように、階調差ΔＫが負の値のときは補正係数αが正の値になり、階調差ΔＫが正の値のときは補正係数αが負の値になる関数である。また、関数ｆ（ΔＫ）は、階調差ΔＫが大きいほど、補正係数αの絶対値が大きくなる関数である。
【００８０】
実施例１のＴＦＴ液晶表示装置の駆動方法を、図２（ａ）に示したような表示をする際に適用すると、画素電極ＰＸ１に対する階調データＫｎは１００階調であり、画素電極ＰＸ１の前段の画素電極ＰＸ４に対する階調データＫｎ−１は２５０階調である。そのため、上記式２を用いると、画素電極ＰＸ１に対する階調データＫｎ’は、下記式３のようになる。
Ｋｎ’＝ｉｎｔ｛１５０×α｝＋１００      ・・・（式３）
【００８１】
上記式３における補正係数αは、図４（ｂ）に示した関数ｆ（ΔＫ）から負の値であり、上記式３におけるＫｎ’は１００より小さい値（Ｋｎ’＜１００）になる。そのため、画素電極ＰＸ１に階調データＫｎ’に基づいて生成した映像信号（階調電圧）を書き込むと、たとえば、図３（ａ）および図３（ｂ）に示したように、画素電極ＰＸ１の書き込み不足量Δ１’と画素電極ＰＸ２の書き込み不足量Δ２の差が小さくなり、横筋が目立ちにくくなる。
【００８２】
すなわち、実施例１の液晶表示装置の駆動方法を適用した場合、図４（ｂ）に示すように、横筋レベルＳＬＶがプロファイルＰ１からプロファイルＰ１’に変化し、全体的に横筋レベルＳＬＶが小さくなる。そのため、横筋による画質の劣化を低減できる。
【００８３】
図５は、実施例１のＴＦＴ液晶表示装置の駆動方法を実現する補正回路の一構成例を示す模式ブロック図である。
【００８４】
実施例１のＴＦＴ液晶表示装置の駆動方法を実現するためには、たとえば、図１（ａ）に示した制御回路基板４に、たとえば、図４（ａ）に示すような構成の補正回路４０１を設ければよい。補正回路４０１は、たとえば、階調データ並替手段４０１ａと、ラインメモリ４０１ｃと、階調補正手段４０１ｂとを有する。
【００８５】
ＴＦＴ液晶表示装置（制御回路基板４）に入力される入力階調データＫｉｎは、たとえば、図１（ｃ）に示したような形式になっている。そのため、まず、階調データ並替手段４０１において、入力階調データＫｉｎを、たとえば、図１（ｄ）に示したような構成の出力階調データＫｏｕｔに並べ替える（変換する）。
【００８６】
階調データ並替手段４０１ａで並べ替えた出力階調データＫｏｕｔは、列ＨＬｎ毎に、階調補正手段４０１ｂおよびラインメモリ４０１ｃに転送される。階調補正手段４０１ｂは、列ＨＬｎの各ブロックＢＬｍの階調データと、ラインメモリ４０１ｃで保持している列ＨＬｎ−１の各ブロックＢＬｍの階調データとを比較し、たとえば、階調差ΔＫと、図４（ｂ）に示したような補正係数α＝ｆ（ΔＫ）と式２を用いて、列ＨＬｎの各ブロックＢＬｍの階調データを補正する。その後は、補正された出力階調データＫｏｕｔ’をデータドライバ２に転送し、各映像信号線ＤＬに加える映像信号（階調電圧信号）を生成し、たとえば、制御回路基板４などで制御されているタイミング（クロック信号）に基づいて、各映像信号線ＤＬに映像信号を加えるとともに、各走査信号線ＧＬに加える走査信号を順次オンにしていくことで、１フレーム期間分の映像または画像を液晶表示パネル１に表示させる。
【００８７】
以上説明したように、実施例１のＴＦＴ液晶表示装置およびその駆動方法によれば、２つの画素に対する階調データの階調差ΔＫに依存する横筋を低減し、ＴＦＴ液晶表示装置の画質の劣化を防ぐことができる。
【００８８】
なお、補正係数αは、図４（ｂ）に示した関数ｆ（ΔＫ）に限らず、他の関数ｇ（ΔＫ）を用いて求めてもよいことはもちろんである。
【００８９】
また、図５に示した補正回路４０１は、実施例１の駆動方法を実現するための回路構成の一例である。すなわち、図３（ａ）および図３（ｂ）、ならびに図４（ｂ）を参照して説明したような方法で、各画素電極ＰＸに書き込む映像信号の階調を補正することができれば、別の構成であってもよいことはもちろんである。
【実施例２】
【００９０】
図６（ａ）および図６（ｂ）は、本発明による実施例２のＴＦＴ液晶表示装置における階調データの補正方法の一具体例を説明するための模式図である。
図６（ａ）は、画素電極およびその周辺の温度と横筋のレベルとの関係の一例を示す模式グラフ図である。図６（ｂ）は、画素電極およびその周辺の温度と補正係数との関係、および画素電極およびその周辺の温度と補正後の横筋のレベルとの関係の一例を示す模式グラフ図である。
【００９１】
実施例１では、２つの画素に対する階調データの階調差ΔＫに依存する横筋を低減するＴＦＴ液晶表示装置の構成および駆動方法について説明した。しかしながら、従来のＴＦＴ液晶表示装置において横筋が発生する原因には、そのほかに、たとえば、液晶表示パネルの温度が関係している。
【００９２】
従来のＴＦＴ液晶表示装置における液晶表示パネル１の温度Ｔｅｍｐと横筋レベルＳＬＶとの関係は、たとえば、図６（ａ）に示したプロファイルＰ２で表される。
【００９３】
なお、図６（ａ）には、プロファイルＰ２の一例として、２つの画素に対する階調データ（階調数）Ｋｎ−１，Ｋｎがそれぞれ、Ｋｎ−１＝２５０，Ｋｎ＝１００の場合における、当該２つの画素の周辺における温度Ｔｅｍｐと、横筋レベルＳＬＶとの関係を示している。
【００９４】
また、図６（ａ）に示したグラフにおける縦軸の横筋レベルＳＬＶは、前記２つの画素の周辺における温度の変化のみに依存する横筋レベルであり、実施例１で説明した階調差ΔＫに依存する成分を取り除いた横筋レベルである。
【００９５】
すなわち、従来のＴＦＴ液晶表示装置において、ある特定の映像または画像を表示しながら液晶表示パネル１の温度を変えた場合、室温（２０℃から３０℃）あるいはそれより高温では横筋レベルＳＬＶがほぼ０（ゼロ）であっても、温度を下げていくと、温度が低くなるにつれて横筋レベルＳＬＶが徐々に大きくなっていく。
【００９６】
液晶表示パネル１の温度Ｔｅｍｐと横筋レベルＳＬＶに、図６（ａ）のような関係がある場合、この温度に依存する横筋レベルＳＬＶを低減するには、たとえば、図６（ｂ）に示すような関数ｆ（Ｔｅｍｐ）で与えられる補正係数βを用いた下記式４により、前記ある１つの画素電極に対する階調データＫｎを、階調データＫｎ’に補正すればよい。
Ｋｎ’＝ｉｎｔ｛（Ｋｎ−１−Ｋｎ）×β｝＋Ｋｎ      ・・・（式４）
【００９７】
上記式４において、ｉｎｔ｛（Ｋｎ−１−Ｋｎ）×β｝は、（Ｋｎ−１−Ｋｎ）×βの整数部分のみをとるという意味である。
【００９８】
関数ｆ（Ｔｅｍｐ）は、図６（ｂ）に示すように、ある特定の温度よりも高い温度のときは補正係数βが０（ゼロ）になり、ある特定の温度よりも低い温度のときは補正係数βが負の値になる関数である。また、関数ｆ（Ｔｅｍｐ）は、液晶表示パネルの温度と前記ある特定の温度との差が大きいほど、補正係数βの絶対値が大きくなる関数である。
【００９９】
なお、前記ある特定の温度は、たとえば、図６（ａ）に示したプロファイルＰ２において、横筋レベルが０（ゼロ）から正の値に変わる温度、言い換えると、室温よりも高い温度における値が一定のプロファイル成分と、室温よりも低い温度における値が変化するプロファイル成分との交点（接点）の温度にする。
【０１００】
実施例２のＴＦＴ液晶表示装置の駆動方法を、図２（ａ）に示したような表示をする際に適用すると、画素電極ＰＸ１に対する階調データＫｎは１００階調であり、画素電極ＰＸ１の前段の画素電極ＰＸ４に対する階調データＫｎ−１は２５０階調である。そのため、上記式４を用いると、画素電極ＰＸ１に対する階調データＫｎ’は、下記式５のようになる。
Ｋｎ’＝ｉｎｔ｛１５０×β｝＋１００      ・・・（式５）
【０１０１】
上記式５における補正係数βは、たとえば、図６（ｂ）に示したような関数ｆ（Ｔｅｍｐ）で常に０以下の値（β≦０）であるから、上記式５におけるＫｎ’は１００より小さい値（Ｋｎ’≦１００）になる。そのため、画素電極ＰＸ１に階調データＫｎ’に基づいて生成した映像信号（階調電圧）を書き込むと、たとえば、気温が氷点下（０度以下）の環境で使用する場合などでも、横筋が目立ちにくくなる。
【０１０２】
すなわち、実施例２の液晶表示装置の駆動方法を適用した場合、図６（ｂ）に示すように、温度に依存した横筋レベルＳＬＶがプロファイルＰ２からプロファイルＰ２’に変化し、全体的に横筋レベルＳＬＶが小さくなる。そのため、温度に依存した横筋による画質の劣化を低減できる。
【０１０３】
ところで、液晶テレビなどの大画面のＴＦＴ液晶表示装置では、液晶表示パネル１の表示領域ＤＡの各点（各画素）における温度が不均一であり、特定の温度分布を示す。そのため、実施例２のような駆動方法を適用する場合、温度Ｔｅｍｐは、液晶表示パネル１の温度ではなく、補正の対象になる画素（画素電極）およびその周辺の温度にする。しかしながら、各画素の温度を測定することは困難である。そのため、実施例２のような駆動方法を適用する場合、ＴＦＴ液晶表示装置内のある特定の箇所の温度を測定し、その温度から、補正の対象になる画素およびその周辺の温度Ｔｅｍｐを見積もる。
【０１０４】
図７（ａ）および図７（ｂ）は、実施例２の駆動方法を実現するＴＦＴ液晶表示装置の一構成例を示す模式図である。
図７（ａ）は、実施例２のＴＦＴ液晶表示装置の駆動方法を実現する補正回路の一構成例を示す模式ブロック図である。図７（ｂ）は、温度センサの設置位置の一例を示す模式図である。
【０１０５】
実施例２のＴＦＴ液晶表示装置の駆動方法を実現するためには、たとえば、図１（ａ）に示した制御回路基板４に、たとえば、図７（ａ）に示すような構成の補正回路４０１を設ければよい。補正回路４０１は、たとえば、階調データ並替手段４０１ａと、ラインメモリ４０１ｃと、階調補正手段４０１ｂと、温度見積手段４０１ｄとを有する。温度見積手段４０１ｄは、ＴＦＴ液晶表示装置内に設置された温度センサ５と接続しており、温度センサ５で検出した温度に基づいて液晶表示パネル１の表示領域ＤＡの各画素の温度を見積もる。温度センサ５は、たとえば、図７（ｂ）に示すように、制御回路基板４とデータドライバ２とを接続するフレキシブルプリント配線板６および他の回路基板７のうちの、回路基板７に設ける。
【０１０６】
ＴＦＴ液晶表示装置（制御回路基板４）に入力される入力階調データＫｉｎは、たとえば、図１（ｃ）に示したような形式になっている。そのため、まず、階調データ並替手段４０１において、入力階調データＫｉｎを、たとえば、図１（ｄ）に示したような構成の出力階調データＫｏｕｔに並べ替える（変換する）。
【０１０７】
階調データ並替手段４０１ａで並べ替えた出力階調データＫｏｕｔは、列ＨＬｎ毎に、階調補正手段４０１ｂおよびラインメモリ４０１ｃに転送される。階調補正手段４０１ｂは、列ＨＬｎの各ブロックＢＬｍの階調データと、ラインメモリ４０１ｃで保持している列ＨＬｎ−１の各ブロックＢＬｍの階調データとを比較し、たとえば、温度見積手段４０１ｄで見積もった温度Ｔｅｍｐと、図６（ｂ）に示したような補正係数β＝ｆ（Ｔｅｍｐ）と式４を用いて、列ＨＬｎの各ブロックＢＬｍの階調データを補正する。その後は、補正された出力階調データＫｏｕｔ’をデータドライバ２に転送し、各映像信号線ＤＬに加える映像信号（階調電圧信号）を生成し、たとえば、制御回路基板４などで制御されているタイミング（クロック信号）に基づいて、各映像信号線ＤＬに映像信号を加えるとともに、各走査信号線ＧＬに加える走査信号を順次オンにしていくことで、１フレーム期間分の映像または画像を液晶表示パネル１に表示させる。
【０１０８】
以上説明したように、実施例２のＴＦＴ液晶表示装置およびその駆動方法によれば、液晶表示パネルの温度に依存する横筋を低減でき、ＴＦＴ液晶表示装置の画質の劣化を防ぐことができる。
【０１０９】
なお、補正係数βは、図６（ｂ）に示した関数ｆ（Ｔｅｍｐ）に限らず、他の関数ｇ（Ｔｅｍｐ）を用いて求めてもよいことはもちろんである。
【０１１０】
また、図７（ａ）に示した補正回路４０１は、実施例２の駆動方法を実現するための回路構成の一例である。すなわち、図６（ｂ）を参照して説明したような方法で、各画素電極ＰＸに書き込む映像信号の階調を補正することができれば、別の構成であってもよいことはもちろんである。またさらに、温度センサ５は、図７（ｂ）に示した位置に限らず、任意の位置に設置してもよいことはもちろんである。
【実施例３】
【０１１１】
図８（ａ）乃至図８（ｅ）は、本発明による実施例３のＴＦＴ液晶表示装置における階調データの補正方法の一具体例を説明するための模式図である。
図８（ａ）は、映像信号線の入力端から画素までの距離と横筋のレベルとの関係の一例を示す模式グラフ図である。図８（ｂ）は、映像信号線の入力端から画素までの距離と補正係数との関係、および映像信号線の入力端から画素までの距離と補正後の横筋のレベルとの関係の一例を示す模式グラフ図である。図８（ｃ）は、走査信号線の入力端から画素までの距離と横筋のレベルとの関係の一例を示す模式グラフ図である。図８（ｄ）は、走査信号線の入力端から画素までの距離と補正係数との関係、および走査信号線の入力端から画素までの距離と補正後の横筋のレベルとの関係の一例を示す模式グラフ図である。図８（ｅ）は、実施例３の補正方法の変形例を説明するための模式図である。
【０１１２】
実施例１では、２つの画素に対する階調データの階調差ΔＫの大きさに依存する横筋を低減するＴＦＴ液晶表示装置の構成および駆動方法について説明し、実施例２では、液晶表示パネル（各画素）の温度Ｔｅｍｐに依存する横筋を低減するＴＦＴ液晶表示装置の構成および駆動方法について説明した。しかしながら、従来のＴＦＴ液晶表示装置において横筋が発生する原因には、そのほかに、たとえば、映像信号線の信号入力端と画素との距離および走査信号線の信号入力端と画素との距離も関係している。
【０１１３】
従来のＴＦＴ液晶表示装置において、映像信号線ＤＬの信号入力端と画素との距離と、横筋レベルＳＬＶとの関係は、たとえば、図８（ａ）に示したプロファイルＰ３で表される。なお、図８（ａ）では、映像信号線ＤＬの信号入力端と画素との実際の距離ではなく、各画素のＴＦＴ素子のゲートが接続している走査信号線ＧＬｎの番号ｎを横軸にしている。また、走査信号線ＧＬｎの番号ｎは、映像信号線ＤＬの信号入力端に最も近い走査信号線を１にし、映像信号線ＤＬの信号入力端に遠ざかるにつれて番号が大きくなるようにつけている。
【０１１４】
また、図８（ａ）には、プロファイルＰ３の一例として、２つの画素に対する階調データ（階調数）Ｋｎ−１，Ｋｎがそれぞれ、Ｋｎ−１＝２５０，Ｋｎ＝１００の場合における、当該２つの画素の映像信号線の信号入力端からの距離と、横筋レベルＳＬＶとの関係を示している。
【０１１５】
また、図８（ａ）に示したグラフにおける縦軸の横筋レベルＳＬＶは、前記２つの画素の映像信号線の信号入力端からの距離の変化のみに依存する横筋レベルであり、実施例１で説明した階調差ΔＫに依存する成分や、実施例２で説明した温度Ｔｅｍｐに依存する成分を取り除いた横筋レベルである。
【０１１６】
すなわち、従来のＴＦＴ液晶表示装置において、ある特定の映像または画像を表示しながら、映像信号線の延在方向に沿って並んだ各画素の横筋レベルを調べると、映像信号線の信号入力端から遠ざかるにつれて、横筋レベルＳＬＶが徐々に大きくなっていく。
【０１１７】
映像信号線の信号入力端からの距離と横筋レベルＳＬＶに、図８（ａ）のような関係がある場合、この距離に依存する横筋レベルＳＬＶを低減するには、たとえば、図８（ｂ）に示すような関数ｆ（ｎ）で与えられる補正係数γ１を用いた下記式６により、前記ある１つの画素電極に対する階調データＫｎを、階調データＫｎ’に補正すればよい。
Ｋｎ’＝ｉｎｔ｛（Ｋｎ−１−Ｋｎ）×γ１｝＋Ｋｎ      ・・・（式６）
【０１１８】
上記式６において、ｉｎｔ｛（Ｋｎ−１−Ｋｎ）×γ１｝は、（Ｋｎ−１−Ｋｎ）×γ１の整数部分のみをとるという意味である。
【０１１９】
関数ｆ（ｎ）は、図８（ｂ）に示すように、常に負の値であり、ｎが大きくなるほど補正係数γ１の絶対値が大きくなる関数である。
【０１２０】
実施例３のＴＦＴ液晶表示装置の駆動方法を、図２（ａ）に示したような表示をする際に適用すると、画素電極ＰＸ１に対する階調データＫｎは１００階調であり、画素電極ＰＸ１の前段の画素電極ＰＸ４に対する階調データＫｎ−１は２５０階調である。そのため、上記式５を用いると、画素電極ＰＸ１に対する階調データＫｎ’は、下記式７のようになる。
Ｋｎ’＝ｉｎｔ｛１５０×γ１｝＋１００      ・・・（式７）
【０１２１】
上記式７における補正係数γ１は、たとえば、図８（ｂ）に示したような関数ｆ（ｎ）で常に負の値（γ１＜０）であるから、上記式７におけるＫｎ’は１００より小さい値（Ｋｎ’＜１００）になる。そのため、画素電極ＰＸ１に階調データＫｎ’に基づいて生成した映像信号（階調電圧）を書き込むと、たとえば、映像信号線ＤＬの信号入力端からの距離が長くても、横筋が目立ちにくくなる。
【０１２２】
すなわち、実施例３の液晶表示装置の駆動方法を適用した場合、図８（ｂ）に示すように、映像信号線の信号入力端からの距離に依存した横筋レベルＳＬＶがプロファイルＰ３からプロファイルＰ３’に変化し、全体的に横筋レベルＳＬＶが小さくなる。そのため、映像信号線の信号入力端からの距離に依存した横筋による画質の劣化を低減できる。
【０１２３】
また、従来のＴＦＴ液晶表示装置において、走査信号線ＧＬの信号入力端と画素との距離と、横筋のレベルＳＬＶとの関係は、たとえば、図８（ｃ）に示したプロファイルＰ４で表される。なお、図８（ｃ）では、映像信号線ＤＬの信号入力端と画素との実際の距離ではなく、各画素のＴＦＴ素子のドレインが接続している映像信号線ＤＬｍの番号ｍを横軸にしている。また、映像信号線ＤＬｍの番号ｍは、走査信号線ＧＬの信号入力端に最も近い映像信号線を１にし、走査信号線ＧＬの信号入力端に遠ざかるにつれて番号が大きくなるようにつけている。
【０１２４】
また、図８（ｃ）には、プロファイルＰ４の一例として、２つの画素に対する階調データ（階調数）Ｋｎ−１，Ｋｎがそれぞれ、Ｋｎ−１＝２５０，Ｋｎ＝１００の場合における、当該２つの画素の走査信号線の信号入力端からの距離と、横筋レベルＳＬＶとの関係を示している。
【０１２５】
また、図８（ｃ）に示したグラフにおける縦軸の横筋レベルＳＬＶは、前記２つの画素の走査信号線の信号入力端からの距離の変化のみに依存する横筋レベルであり、実施例１で説明した階調差ΔＫに依存する成分や、実施例２で説明した温度Ｔｅｍｐに依存する成分などを取り除いた横筋レベルである。
【０１２６】
すなわち、従来のＴＦＴ液晶表示装置において、ある特定の映像または画像を表示しながら、走査信号線の延在方向に沿って並んだ各画素の横筋レベルを調べると、走査信号線の信号入力端から遠ざかるにつれて、横筋レベルＳＬＶが徐々に大きくなっていく。
【０１２７】
走査信号線の信号入力端からの距離と横筋レベルＳＬＶに、図８（ｃ）のような関係がある場合、この距離に依存する横筋レベルＳＬＶを低減するには、たとえば、図８（ｄ）に示すような関数ｆ（ｍ）で与えられる補正係数γ２を用いた下記式８により、前記ある１つの画素電極に対する階調データＫｎを、階調データＫｎ’に補正すればよい。
Ｋｎ’＝ｉｎｔ｛（Ｋｎ−１−Ｋｎ）×γ２｝＋Ｋｎ      ・・・（式８）
【０１２８】
上記式８において、ｉｎｔ｛（Ｋｎ−１−Ｋｎ）×γ２｝は、（Ｋｎ−１−Ｋｎ）×γ２の整数部分のみをとるという意味である。
【０１２９】
関数ｆ（ｍ）は、図８（ｄ）に示すように、常に負の値であり、ｍが大きくなるほど補正係数γ２の絶対値が小さくなる関数である。
【０１３０】
実施例３のＴＦＴ液晶表示装置の駆動方法を、図２（ａ）に示したような表示をする際に適用すると、画素電極ＰＸ１に対する階調データＫｎは１００階調であり、画素電極ＰＸ１の前段の画素電極ＰＸ４に対する階調データＫｎ−１は２５０階調である。そのため、上記式８を用いると、画素電極ＰＸ１に対する階調データＫｎ’は、下記式９のようになる。
Ｋｎ’＝ｉｎｔ｛１５０×γ２｝＋１００      ・・・（式９）
【０１３１】
上記式９における補正係数γ２は、たとえば、図８（ｄ）に示したような関数ｆ（ｍ）で常に負の値（γ２＜０）であるから、上記式９におけるＫｎ’は１００より小さい値（Ｋｎ’＜１００）になる。そのため、画素電極ＰＸ１に階調データＫｎ’に基づいて生成した映像信号（階調電圧）を書き込むと、たとえば、走査信号線ＧＬの信号入力端からの距離が長くても、当該距離に依存する横筋が目立ちにくくなる。
【０１３２】
すなわち、実施例３の液晶表示装置の駆動方法を適用した場合、図８（ｄ）に示すように、走査信号線の信号入力端からの距離に依存した横筋レベルＳＬＶがプロファイルＰ４からプロファイルＰ４’に変化し、全体的に横筋レベルＳＬＶが小さくなる。そのため、走査信号線の信号入力端からの距離に依存した横筋による画質の劣化も低減できる。
【０１３３】
実施例３のような補正方法でＴＦＴ液晶表示装置を駆動させる場合は、制御回路基板４に、たとえば、図５に示したような補正回路４０１を設ければよい。そして、階調補正手段４０１ｂにおいて、たとえば、上記式６および式８に基づいて、各画素の階調データＫｎをＫｎ’に補正すればよい。
【０１３４】
以上説明したように、実施例３のＴＦＴ液晶表示装置およびその駆動方法によれば、映像信号線の信号入力端からの距離および走査信号線の信号入力端からの距離に依存する横筋を低減でき、ＴＦＴ液晶表示装置の画質の劣化を防ぐことができる。
【０１３５】
なお、補正係数γ１は、図８（ｂ）に示した関数ｆ（ｎ）に限らず、他の関数ｇ（ｎ）を用いて求めてもよいことはもちろんである。他の関数ｇ（ｎ）としては、たとえば、図８（ｅ）に示すように、映像信号線の信号入力端からの距離がある特定の距離になる番号ｘの走査信号線ＧＬｘを境にし、走査信号線ＧＬｘよりも映像信号線の信号入力端側にある画素に対しては距離によらず一定の値であり、映像信号線の信号入力端からの距離が走査信号線ＧＬｘよりも大きい画素に対しては距離に大きくなるにつれて補正係数γ１の絶対値が大きくなるような関数が上げられる。同様に、補正係数γ２は、図８（ｄ）に示した関数ｆ（ｍ）に限らず、他の関数ｇ（ｍ）を用いて求めてもよいことはもちろんである。
【０１３６】
以上、本発明を、前記実施例に基づき具体的に説明したが、本発明は、前記実施例に限定されるものではなく、その要旨を逸脱しない範囲において、種々変更可能であることはもちろんである。
【０１３７】
たとえば、実施例１では、階調差ΔＫの関数ｆ（ΔＫ）で与えられる補正係数αのみを用いて階調データを補正している。また、実施例２では、温度の関数ｆ（Ｔｅｍｐ）で与えられる補正係数βのみを用いて階調データを補正している。また、実施例３では、信号入力端からの距離の関数ｆ（ｎ），ｆ（ｍ）で与えられる補正係数γ１，γ２のみを用いて階調データを補正している。
【０１３８】
しかしながら、ＴＦＴ液晶表示装置において発生する横筋は、階調数の差ΔＫ、温度Ｔｅｍｐ、信号入力端からの距離などの要因が複合している。そのため、前記各実施例で説明したような点をふまえ、下記式１０を用いて階調データＫｎをＫｎ’に補正してもよいことはもちろんである。
Ｋｎ’＝ｉｎｔ｛（Ｋｎ−１−Ｋｎ）×α×β×γ１×γ２｝＋Ｋｎ      ・・・（式１０）
【０１３９】
また、これに限らず、補正係数α，β，γ１，γ２のうちの２つまたは３つを選択して補正してもよいことはもちろんである。
【図面の簡単な説明】
【０１４０】
【図１（ａ）】本発明に関わるＴＦＴ液晶表示装置の概略構成の一例を示す模式ブロック図である。
【図１（ｂ）】図１（ａ）に示した液晶表示パネルにおける表示領域の概略構成の一例を示す模式回路図である。
【図１（ｃ）】ＴＦＴ液晶表示装置に入力される入力階調データの一構成例を示す模式図である。
【図１（ｄ）】入力階調データを並べ替えた出力階調データの一構成例を示す模式図である。
【図１（ｅ）】図１（ａ）に示した液晶表示パネルの駆動方法の一例を示す模式図である。
【図２（ａ）】本発明に関わるＴＦＴ液晶表示装置における各画素の階調の一例を示す模式回路図である。
【図２（ｂ）】図２（ａ）に示した２つの画素電極ＰＸ１，ＰＸ２に書き込まれる階調電圧の一例を示す模式波形図である。
【図３（ａ）】実施例１の液晶表示装置の駆動方法の一例を示す模式回路図である。
【図３（ｂ）】図３（ａ）に示した２つの画素電極ＰＸ１，ＰＸ２に書き込まれる階調電圧の一例を示す模式波形図である。
【図４（ａ）】比較する２つの階調データの階調差と横筋のレベルとの関係の一例を示す模式グラフ図である。
【図４（ｂ）】比較する２つの階調データの階調差と補正係数との関係、および比較する２つの階調データの階調差と補正後の横筋のレベルとの関係の一例を示す模式グラフ図である。
【図４（ｃ）】一般的なＴＦＴ液晶表示装置における液晶への印加電位と階調との関係の一例を示す模式グラフ図である。
【図５】実施例１のＴＦＴ液晶表示装置の駆動方法を実現する補正回路の一構成例を示す模式ブロック図である。
【図６（ａ）】画素電極およびその周辺の温度と横筋のレベルとの関係の一例を示す模式グラフ図である。
【図６（ｂ）】画素電極およびその周辺の温度と補正係数との関係、および画素電極およびその周辺の温度と補正後の横筋のレベルとの関係の一例を示す模式グラフ図である。
【図７（ａ）】実施例２のＴＦＴ液晶表示装置の駆動方法を実現する補正回路の一構成例を示す模式ブロック図である。
【図７（ｂ）】温度センサの設置位置の一例を示す模式図である。
【図８（ａ）】映像信号線の入力端から画素までの距離と横筋のレベルとの関係の一例を示す模式グラフ図である。
【図８（ｂ）】映像信号線の入力端から画素までの距離と補正係数との関係、および映像信号線の入力端から画素までの距離と補正後の横筋のレベルとの関係の一例を示す模式グラフ図である。
【図８（ｃ）】走査信号線の入力端から画素までの距離と横筋のレベルとの関係の一例を示す模式グラフ図である。
【図８（ｄ）】走査信号線の入力端から画素までの距離と補正係数との関係、および走査信号線の入力端から画素までの距離と補正後の横筋のレベルとの関係の一例を示す模式グラフ図である。
【図８（ｅ）】実施例３の補正方法の変形例を説明するための模式図である。
【符号の説明】
【０１４１】
１…液晶表示パネル
２…データドライバ
３…ゲートドライバ
４…制御回路
４０１…補正回路基板
４０１ａ…階調データ並替手段
４０１ｂ…階調補正手段
４０１ｃ…ラインメモリ
４０１ｄ…温度見積手段
５…温度センサ
６…フレキシブルプリント配線板
７…回路基板
ＧＬ，ＧＬｎ−１，ＧＬｎ，ＧＬｎ＋１，ＧＬｎ＋２…走査信号線
ＤＬ，ＤＬｍ−２，ＤＬｍ−１，ＤＬｍ，ＤＬｍ＋１，ＤＬｍ＋２，ＤＬｍ＋３…映像信号線
Ｔｒ…ＴＦＴ素子
ＰＸ，ＰＸ１，ＰＸ２，ＰＸ３，ＰＸ４…画素電極
ＬＣ…液晶材料
ＣＴ…対向電極
【図１（ａ）】
0005229779.tif 000002
【図１（ｂ）】
0005229779.tif 000003
【図１（ｃ）】
0005229779.tif 000004
【図１（ｄ）】
0005229779.tif 000005
【図１（ｅ）】
0005229779.tif 000006
【図２（ａ）】
0005229779.tif 000007
【図２（ｂ）】
0005229779.tif 000008
【図３（ａ）】
0005229779.tif 000009
【図３（ｂ）】
0005229779.tif 000010
【図４（ａ）】
0005229779.tif 000011
【図４（ｂ）】
0005229779.tif 000012
【図４（ｃ）】
0005229779.tif 000013
【図５】
0005229779.tif 000014
【図６（ａ）】
0005229779.tif 000015
【図６（ｂ）】
0005229779.tif 000016
【図７（ａ）】
0005229779.tif 000017
【図７（ｂ）】
0005229779.tif 000018
【図８（ａ）】
0005229779.tif 000019
【図８（ｂ）】
0005229779.tif 000020
【図８（ｃ）】
0005229779.tif 000021
【図８（ｄ）】
0005229779.tif 000022
【図８（ｅ）】
0005229779.tif 000023